(57)【要約】【課題】  温水を用いる洗浄装置において、洗浄装置の配管を予め温めることにより、効率よく洗浄できる洗浄装置の予熱方法を提供することである。【解決手段】  実施形態の洗浄装置10の予熱方法は、被洗浄物に高圧温水を吹き付ける高圧温水吹付け手段28を有する洗浄槽20から温水を回収して貯留するとともに所定温度の温水に沸き上げる第１の沸上手段42を有する回収槽21から洗浄槽20の高圧温水吹付け手段28に温水を供給する第１配管44、52に、回収槽21から温水を供給することで第１配管44、52の温度を上昇させる第１ステップ102と；洗浄槽20から回収槽21に温水を供給する第２配管32に、洗浄槽20から温水を供給することで第２配管32の温度を上昇させる第２ステップ103と；を具備し、少なくとも第１ステップ102を複数回行うことを特徴とする。【選択図】図１
2015188830.tif 000002
【特許請求の範囲】
【請求項１】
被洗浄物に高圧温水を吹き付ける高圧温水吹付け手段を有する洗浄槽から温水を回収して貯留するとともに、所定温度の温水に沸き上げる第１の沸上手段を有する回収槽から前記洗浄槽の前記高圧温水吹付け手段に温水を供給する第１配管に、前記回収槽から温水を供給することで前記第１配管の温度を上昇させる第１ステップと；
前記洗浄槽から前記回収槽に温水を供給する第２配管に、前記洗浄槽から温水を供給することで前記第２配管の温度を上昇させる第２ステップと；
を具備し、
少なくとも前記第１ステップを複数回行うことを特徴とする予熱方法。
【請求項２】
前記第１ステップを複数回行うとともに、所定回数は、前記第１ステップを行った後に、前記洗浄槽から温水を排水する第３ステップを行うとともに、前記第２ステップを行わないことを特徴とする請求項１記載の予熱方法。
【請求項３】
被洗浄物に高圧温水を吹き付ける高圧温水吹付け手段を有する洗浄槽と；
前記洗浄槽から温水を回収して貯留するとともに、所定温度の温水に沸き上げる第１の沸上手段を有する回収槽と；
外部から供給される水を貯留するとともに、所定温度の温水に沸き上げる第２の沸上手段をする補給槽と；
前記補給槽と前記回収槽との間に設けられた第３配管と；
前記第３配管に設けられた第１弁と；
前記回収槽と前記高圧温水吹付け手段との間に設けられた第１配管と；
前記第１配管に設けられた第２弁と；
前記洗浄槽と前記回収槽との間に設けられた第２配管と；
前記第２配管に設けられた第３弁と；
前記第１配管を介して温水を前記回収槽から前記高圧温水吹付け手段に供給するように前記第２弁を制御することで前記第１配管の温度を上昇させ、前記第２配管を介して温水を前記洗浄槽から前記回収槽に供給するように前記第３弁を制御することで前記第２配管の温度を上昇させる制御部と；
を具備することを特徴とする洗浄装置。
【発明の詳細な説明】
【技術分野】
【０００１】
本発明の実施形態は、予熱方法および洗浄装置に関する。
【背景技術】
【０００２】
従来、被洗浄物として、例えば、空港の滑走路などに埋め込まれている航空標識灯を洗浄する洗浄装置がある。航空標識灯を洗浄する場合には、滑走路に洗浄装置を移動させて滑走路に設置されている状態で航空標識灯を洗浄する場合と、滑走路から航空標識灯を取り外して所定の場所に設置されている洗浄装置で洗浄する場合とがある。いずれの場合にも、水を加圧した高圧水を航空標識灯に吹き付けて洗浄し、航空標識灯に吹き付けた水は排水されている。また、洗浄装置で洗浄する場合には、航空標識灯を回転させながら、航空標識灯に高圧水を吹き付けて洗浄するようにしている。
【０００３】
トンネル内に設置される照明器具に温水を吹き付けて洗浄することも行われている。この場合にも、被洗浄物に吹き付けた温水は排水されている。
【０００４】
また、洗浄室の底部に搬送手段を配設し、搬送手段によって航空標識灯を洗浄室に搬送し、洗浄室内に配置されている複数の可動ノズルによって航空標識灯に上方から砥粒を吹き付けるとともに、複数の可動ノズルを３６０°往復回転させることにより、航空標識灯の上面全体を洗浄する洗浄装置がある。
【先行技術文献】
【特許文献】
【０００５】
【特許文献１】特開平６−２７２２２０号公報
【特許文献２】特許第３９３９７２２号公報
【特許文献３】特開昭６１−１４３１０号公報
【発明の概要】
【発明が解決しようとする課題】
【０００６】
洗浄に温水を用いることにより、洗浄効果が高まり、あまり圧力を高くしなくても十分な洗浄効果が得られる。
【０００７】
しかしながら、洗浄装置の内部の配管、すなわち温水の流路を温めることなく洗浄を開始すると、温水よりも温水の流路（配管）の温度が低い場合には、温水の温度が低下することにより所望の洗浄効果を得られない虞がある。
【０００８】
本発明が解決しようとする課題は、温水を用いる洗浄装置において、洗浄装置の内部の温水の流路（配管）を予め温めることにより、効率よく洗浄できる洗浄装置および洗浄装置の予熱方法を提供することである。
【課題を解決するための手段】
【０００９】
実施形態の予熱方法は、被洗浄物に高圧温水を吹き付ける高圧温水吹付け手段を有する洗浄槽から温水を回収して貯留するとともに、所定温度の温水に沸き上げる第１の沸上手段を有する回収槽から前記洗浄槽の前記高圧温水吹付け手段に温水を供給する第１配管に、前記回収槽から温水を供給することで前記第１配管の温度を上昇させる第１ステップと；前記洗浄槽から前記回収槽に温水を供給する第２配管に、前記洗浄槽から温水を供給することで前記第２配管の温度を上昇させる第２ステップと；を具備し、少なくとも前記第１ステップを複数回行うことを特徴とする。
【００１０】
実施形態の洗浄装置は、被洗浄物に高圧温水を吹き付ける高圧温水吹付け手段を有する洗浄槽と；前記洗浄槽から温水を回収して貯留するとともに、所定温度の温水に沸き上げる第１の沸上手段を有する回収槽と；外部から供給される水を貯留するとともに、所定温度の温水に沸き上げる第２の沸上手段をする補給槽と；前記補給槽と前記回収槽との間に設けられた第３配管と；前記第３配管に設けられた第１弁と；前記回収槽と前記高圧温水吹付け手段との間に設けられた第１配管と；前記第１配管に設けられた第２弁と；前記洗浄槽と前記回収槽との間に設けられた第２配管と；前記第２配管に設けられた第３弁と；前記第１配管を介して温水を前記回収槽から前記高圧温水吹付け手段に供給するように前記第２弁を制御することで前記第１配管の温度を上昇させ、前記第２配管を介して温水を前記洗浄槽から前記回収槽に供給するように前記第３弁を制御することで前記第２配管の温度を上昇させる制御部と；を持つ。
【発明の効果】
【００１１】
本発明によれば、洗浄装置の内部の温水の流路（配管）を予め温めることにより、効率よく洗浄することが期待できる。また、所望の洗浄効果を期待できる。
【図面の簡単な説明】
【００１２】
【図１】図１は、実施例１の洗浄装置のブロック図である。
【図２】図２は、同じく洗浄装置の斜視図である。
【図３】図３は、同じく洗浄装置の制御方法（洗浄方法）に関するフローチャートである。
【図４】図４は、同じく洗浄装置の上面側洗浄工程の概略断面図である。
【図５】図５は、同じく洗浄装置の下面側洗浄工程の概略断面図である。
【図６】図６は、同じく洗浄装置の正面図である。
【図７】図７は、同じく洗浄装置の洗浄台の分解状態の断面図である。
【発明を実施するための形態】
【００１３】
洗浄に温水を用いることにより、洗浄効果が高まり、あまり圧力を高くしなくても十分な洗浄効果が得られる。しかしながら、水と同様に、洗浄に使用した温水を排水したのでは、エネルギーの無駄が多く発生することになり、また、洗浄処理量が多いと、温水が不足し、温水が沸き上がるのを待たなければならなくなる事態も考えられ、効率よく洗浄できない問題がある。第５ないし７の実施形態が解決しようとする課題は、効率よく洗浄できる洗浄装置を提供することである。
【００１４】
可動ノズルを可動させて航空標識灯の上面全体を洗浄するようにした場合、可動ノズルに高圧水などを供給するために可撓性を有するホースを用いなければならず、ホースであるために外れたり破損したりする問題がある。しかも、可動ノズルを可動させるための機構が複雑化および大形化する問題もある。また、従来の洗浄装置では、航空標識灯の下面側は洗浄していなかった。航空標識灯の周辺部下面は滑走路などに埋め込み設置されている基台に取り付けられるため、航空標識灯の周辺部下面も洗浄することが好ましい。第８ないし１０の実施形態が解決しようとする課題は、可動ノズルを用いずに、洗浄物の上面側から下面側に亘って洗浄できる洗浄装置を提供することである。
【００１５】
（第１の実施形態）第１の実施形態の予熱方法は、被洗浄物に高圧温水を吹き付ける高圧温水吹付け手段を有する洗浄槽から温水を回収して貯留するとともに、所定温度の温水に沸き上げる第１の沸上手段を有する回収槽から前記洗浄槽の前記高圧温水吹付け手段に温水を供給する第１配管に、前記回収槽から温水を供給することで前記第１配管の温度を上昇させる第１ステップと；前記洗浄槽から前記回収槽に温水を供給する第２配管に、前記洗浄槽から温水を供給することで前記第２配管の温度を上昇させる第２ステップと；
【００１６】
を具備し、少なくとも前記第１ステップを複数回行うことを特徴とする。
【００１７】
（第２の実施形態）第２の実施形態の予熱方法は、第１の実施形態の洗浄方法において、前記第１ステップを複数回行うとともに、所定回数は、前記第１ステップを行った後に、前記洗浄槽から温水を排水する第３ステップを行うとともに、前記第２ステップを行わないことを特徴とする。
【００１８】
（第３の実施形態）第３の実施形態の洗浄装置は、被洗浄物に高圧温水を吹き付ける高圧温水吹付け手段を有する洗浄槽と；前記洗浄槽から温水を回収して貯留するとともに、所定温度の温水に沸き上げる第１の沸上手段を有する回収槽と；外部から供給される水を貯留するとともに、所定温度の温水に沸き上げる第２の沸上手段をする補給槽と；前記補給槽と前記回収槽との間に設けられた第３配管と；前記第３配管に設けられた第１弁と；前記回収槽と前記高圧温水吹付け手段との間に設けられた第１配管と；前記第１配管に設けられた第２弁と；前記洗浄槽と前記回収槽との間に設けられた第２配管と；前記第２配管に設けられた第３弁と；前記第１配管を介して温水を前記回収槽から前記高圧温水吹付け手段に供給するように前記第２弁を制御することで前記第１配管の温度を上昇させ、前記第２配管を介して温水を前記洗浄槽から前記回収槽に供給するように前記第３弁を制御することで前記第２配管の温度を上昇させる制御部と；を具備する。
【００１９】
（第４の実施形態）第４の実施形態の洗浄装置は、第３の実施形態の洗浄装置において、前記制御部は、前記洗浄槽から温水を排水するように、前記第３弁を制御することを特徴とする。
【００２０】
（第５の実施形態）第５の実施形態の洗浄装置は、被洗浄物に高圧温水を吹き付ける高圧温水吹付け手段を有する洗浄槽と；洗浄槽から温水を回収して貯留するとともに、所定温度の温水に沸き上げる第１の沸上手段を有する回収槽と；回収槽の温水を取り出して加圧した高圧温水を洗浄槽に供給する高圧温水供給手段と；外部から供給される水を貯留するとともに、所定温度の温水に沸き上げる第２の沸上手段を有し、温水を回収槽に補給する補給槽と；を具備する。
【００２１】
（第６の実施形態）第６の実施形態の洗浄装置は、第５の実施形態の洗浄装置において、洗浄槽で被洗浄物に高圧温水を吹き付けた後に水を吹き付ける水吹付け手段と、水吹付け手段に水を供給する水供給手段と；水供給手段からの水の供給時に、洗浄槽から回収される水を排水する排水手段と；を具備していることを特徴とする。
【００２２】
（第７の実施形態）第７の実施形態の洗浄装置は、第５または第６の実施形態の洗浄装置において、外部から供給される水を貯留する水槽と；回収槽と高圧温水供給手段とを接続する取出配管と；取出配管の途中に着脱可能に接続され、高圧温水供給手段によって回収槽から取り出される温水を濾過するフィルタと；フィルタと水槽とを接続し、水槽の水をフィルタに循環させるフィルタ冷却手段と；を具備していることを特徴とする。
【００２３】
（第８の実施形態）第８の実施形態の洗浄装置は、被洗浄物を搬送方向に沿って搬送する搬送手段と；搬送手段に対して洗浄物を回転させる回転手段と；搬送手段によって搬送される洗浄物に上方から洗浄液を吹き付ける位置固定の上側固定ノズルと；搬送手段の搬送方向の端部に対向して配設され、搬送手段によって搬送方向の端部に搬送される洗浄物に下方から洗浄液を吹き付ける位置固定の下側固定ノズルと；を具備する。
【００２４】
（第９の実施形態）第９の実施形態の洗浄装置は、第８の実施形態の洗浄装置において、搬送手段で搬送方向の端部に搬送する洗浄物の位置を洗浄物の径に応じて制御する制御部を具備していることを特徴とする。
【００２５】
（第１０の実施形態）第１０の実施形態の洗浄装置は、第８または第９の実施形態の洗浄装置において、被洗浄物は、下部側が上部側より小径で、下部側の側面に漏洩バルブが設けられた航空標識灯の灯体であり、搬送手段は、灯体の下部側が上方から挿入されて灯体の上部側の周辺部下面を支持する円筒状の洗浄台を具備していることを特徴とする。
【００２６】
以下、第１および第２の実施形態の洗浄方法並びに第３ないし第１０の実施形態の洗浄装置について図面を参照して説明する。
【実施例１】
【００２７】
図２に示すように、洗浄装置10は、被洗浄物としての航空標識灯11を洗浄する。航空標識灯11は、空港の滑走路に埋め込み設置される基台と、この基台上に着脱可能に取り付けられる灯体11aとを有している。この航空標識灯11の灯体11aを基台から外し、所定の場所に設置されている洗浄装置10の場所に運搬し、洗浄装置10によって灯体11aを洗浄する。
【００２８】
図７に示すように、灯体11aは、上端周辺部にフランジを有する下部灯体11b、および下部灯体11bより大径で下部灯体11bのフランジ上に取り付けられた上部灯体11cを有している。下部灯体11bの側面には、灯体11aの内部に気体を圧入して灯体11aの気密性をチェックするための漏洩バルブ11dが設けられている。すなわち、灯体11aは、下部側が上部側より小径で、下部側の側面に漏洩バルブ11dが設けられている。そして、灯体11aは、内部に配置された光源からの光を上部灯体11cに設けられた窓部から外部に照射するように構成されている。
【００２９】
図１、４〜６に示すように、洗浄装置10は、機体12を有し、この機体12の前部に着脱部13が設けられ、この着脱部13の後方にシャッタ14によって開閉される開口部15が形成されている。開口部15を通じて着脱部13と機体12内との間で洗浄台16が移動するように構成され、着脱部13に移動した洗浄台16に対して灯体11aを着脱可能としている。機体12の前面には、初期動作（洗浄装置10の予熱方法）または洗浄動作スタートを含む操作部17が配設されている。
【００３０】
図７に示すように、洗浄台16は、台座部19、およびこの台座部19上に着脱可能に取り付けられる円筒状のホルダ部18を有している。ホルダ部18は、灯体11aの下部灯体11bが上方から挿入されて下部灯体11bのフランジの下面（以下、灯体11aの上部側の周辺部下面と呼ぶ）を支持する。ホルダ部18は、台座部19の上面から突設された複数のピン19aに、ホルダ部18の下部周辺部に設けられた取付部18aを嵌め込んで取り付けられており、台座部19に対して着脱可能になっている。そして、洗浄する灯体11aには径が異なる種類があるため、それに対応して径が異なる複数種類のホルダ部18が用意され、洗浄する灯体11aの種類に対応したホルダ部18を台座部19に取り付けるように構成されている。
【００３１】
図１に示すように、洗浄装置10は、灯体11aに高圧温水を吹き付けて洗浄する洗浄槽20、洗浄槽20で洗浄に使用した温水を回収する回収槽21、回収槽21に回収された温水を加圧して高圧温水として洗浄槽20に供給する高圧温水供給手段22、回収槽21に温水を補給する補給槽23、冷却用の水槽24、およびエアー供給手段25を有している。
【００３２】
そして、洗浄槽20には、着脱部13の位置と洗浄槽20内の所定の洗浄位置との間で洗浄台16を移動させる搬送手段26が配置されている。図４ないし６に示すように、搬送手段26は、洗浄台16を搭載する移動台26a、この移動台26aを直線状に移動可能とするガイド26b、および移動台26aをガイド26bに沿って移動させる駆動部26cを備えている。洗浄位置には、搬送手段26による洗浄槽20内への搬送方向の端部より手前の中間位置である上面側洗浄位置（図４参照）、この上面側洗浄位置より洗浄槽20の奥側であって洗浄槽20内への搬送方向の端部側である下面側洗浄位置（図５参照）が含まれる。搬送手段26の移動台26aには、洗浄台16とともに灯体11aを回転させる回転手段27が配設されている。
【００３３】
洗浄槽20内には、灯体11aに洗浄用の高圧温水を吹き付ける複数の高圧温水吹付け手段28、灯体11aに洗浄用および冷却用の水を吹き付ける１つまたは複数の水吹付け手段29、および灯体11aに乾燥用のエアーを吹き付けるエアー吹付け手段30が配置されている。これら吹付け手段28，29，30は、例えばノズルによって構成されており、洗浄位置で洗浄台16によって回転する灯体11aの全体に対して高圧温水、水、エアーがそれぞれ効率よく拭き付けられるように配置されている。
【００３４】
図４ないし６に示すように、高圧温水吹付け手段28は、搬送手段26の搬送方向の端部より手前の中間位置である上面側洗浄位置の上方に対向して位置が固定されて配設された上側固定ノズル28aと、搬送手段26の搬送方向の端部に対向して位置が固定されて配設された下側固定ノズルと28bを備えている。上側固定ノズル28aは、搬送手段26で上面側洗浄位置に搬送される灯体11aに上方から高圧温水を吹き付けて洗浄する。下側固定ノズル28bは、搬送手段26で搬送方向の端部である下面側洗浄位置に搬送される灯体11aに下方から高圧温水を吹き付けて洗浄する。これらノズル28a、28bは、１つでも複数でもよく、複数の場合には配置する位置を変えたりすることで、高圧温水の吹き付け方向を変えて灯体11aを効率よく洗浄できるようにすることが好ましい。
【００３５】
洗浄槽20の底部には、灯体11aに吹き付けた温水や水を貯留する貯留部31が形成され、この貯留部31の底部に温水や水を回収槽21に排水（回収）する複数本の回収配管32が接続されている。貯留部31には、排水する温水や水から異物などを捕獲して取り除くフィルタ33が配置されている。貯留部31の上部側には、貯留する温水や水が所定量以上に達した場合に、オーバーフローする温水や水を水槽24に排水するオーバーフロー配管34が接続されている。なお、複数本の回収配管32を用いるのは、洗浄槽20の温水が流出する際の流量を確保するとともに、洗浄槽20の高さ寸法を小さくすることによる。１本の配管で所望の流出量を確保しようとすると、配管の直径が大きくなり、この配管を洗浄槽20の側面に接続した場合には高さ寸法を必要とするが、複数本とすることにより、例えば横に並べて配置することが可能となり、洗浄槽20の高さ寸法が大きくなるのを抑えることができる。
【００３６】
洗浄槽20の上部には、高圧温水の吹き付けによって発生する蒸気を排気する排気ファン35が設置されている。排気ファン35には、蒸気を排水管36に排気する排気ダクト37が接続されている。
【００３７】
また、回収槽21は、洗浄槽20から回収される温水および補給槽23から補給される温水を貯留する。回収槽21の上部には、洗浄槽20から回収配管32によって回収される温水を受け入れる受部40が配設され、この受部40に温水を濾過するフィルタ41が配置され、このフィルタ41で濾過された温水が回収槽21内に流入する。
【００３８】
回収槽21には、温水を所定の温度に沸き上げる第１の沸上手段としてのヒータ42が配置されている。沸き上げる温水の温度は、例えば６０℃以上であって、好ましくは７０〜７５℃とされている。
【００３９】
回収槽21には、回収槽21に貯留されている温水の水位を検知する水位検知手段43が配設されている。
【００４０】
回収槽21の底部側には、取出配管44および排水管36が接続されている。取出配管44および排水管36には、それぞれ管内の流路を開閉する電動弁45，46が配設されている。回収槽21内には、取出配管44に対してストレーナ47が配置されている。
【００４１】
回収槽21の上部側には、貯留する温水が所定量以上に達した場合に、オーバーフローする温水を水槽24に排水するオーバーフロー配管48が接続されている。
【００４２】
また、高圧温水供給手段22は、温水を加圧して送る高圧ポンプ51を有している。高圧ポンプ51の吸込み側と回収槽21との間に取出配管44が接続され、高圧ポンプ51の吐出側と洗浄槽20の高圧温水吹付け手段28との間に高圧温水供給配管52が接続されている。取出配管44には、管内の流路を開閉する電動弁45、回収槽21の温水を高圧ポンプ51へ送る送水ポンプ53、および高圧ポンプ51へ送る温水を濾過するフィルタ54が配設されている。高圧温水供給配管52には流路を開閉する電動弁55a、55bが配設されている。
【００４３】
そして、回収槽21、取出配管44、高圧温水供給手段22、高圧温水供給配管52、洗浄槽20、および回収配管32などによって、回収槽21の温水を循環使用する循環路56が構成されている。また、回収配管32には電動三方弁57を介して水槽24につながる排水用配管58が接続されており、これら電動三方弁57、排水用配管58および水槽24などによって、洗浄槽20の温水や水を回収槽21に回収するのではなく排水管36に排水する排水手段59が構成されている。
【００４４】
また、補給槽23は、水供給手段61から水を供給されて貯留する。水供給手段61は、例えば水道水などの水を補給槽23に供給する給水管62、および給水管62内の流路を開閉する電動弁63を有している。
【００４５】
補給槽23には、水を所定の温度に沸き上げる第２の沸上手段としてのヒータ64が配置されている。温水の温度は、例えば６０℃以上であって、好ましくは７０〜７５℃としている。
【００４６】
補給槽23には、補給槽23に貯留されている温水の水位を検知する水位検知手段65が配設されている。
【００４７】
補給槽23には、回収槽21に温水を補給する補給配管66が接続され、補給配管66には流路を開閉する電動弁67が配設されている。図１に示すように、補給槽23の底部には、補給配管66との接続部に向けて傾斜が設けられている。補給槽23の底部にこれらの傾斜がなかった場合には、補給槽23の底部に温水が残留したり、補給槽23から補給配管66への温水の流速が低下したりする虞があった。補給槽23の底部にこれらの傾斜を設けることにより、温水の流速を速くすることができるので、温水の温度低下も抑制することができる。
【００４８】
補給槽23の上部側には、貯留する温水が所定量以上に達した場合に、オーバーフローする温水を排水管36に排水するオーバーフロー配管68が接続されている。
【００４９】
図１に示すように、補給槽23は洗浄装置10の上側に位置している。また、回収槽21は、洗浄槽20の洗浄装置10の下側に位置している。さらに、補給槽23は、回収槽21より洗浄装置10の上側に位置している。洗浄槽20、回収槽21および補給槽23をこのような位置関係にすることにより、洗浄槽20から回収槽21に温水を供給しやすくなる。また、同様に、補給槽23から回収槽21に温水を補給しやすくなる。よって、洗浄槽20と回収槽21との間および補給槽23と回収槽21との間にポンプ等を設けなくても温水を循環させることにより被洗浄物の効率的な洗浄が可能になる。
【００５０】
また、水槽24は、水供給手段61から供給される水を貯留する。水供給手段61は、例えば水道水などの水を水槽24に供給する給水管70、および給水管70内の流路を開閉する電動弁71を有している。
【００５１】
水槽24の上部には、洗浄槽20から回収配管32、電動三方弁57および排水用配管58によって排水される温水や水を受け入れる受部72が配設され、この受部72に温水や水を濾過するフィルタ73が配設され、このフィルタ73で濾過された温水や水が水槽24内に流入する。
【００５２】
水槽24には、水槽24に貯留されている温水の水位を検知する水位検知手段24aが配設されている。
【００５３】
水槽24には、排水管36が接続され、この排水管36の接続部分に管内を開閉する電動弁74が配設されている。
【００５４】
水槽24には、貯留する温水や水が所定量以上に達した場合に、オーバーフローする温水や水を排水管36に排水するオーバーフロー配管75が接続されている。
【００５５】
水槽24と取出配管44の温水流れ方向におけるフィルタ54より上流側であって送水ポンプ53の吸込み側位置である取出配管44との間に冷却水循環配管76が接続され、この冷却水循環配管76内の流路を開閉する電動弁77が配設されている。取出配管44には温水流れ方向におけるフィルタ54の下流側であって高圧ポンプ51とフィルタ54との間に三方電動弁78が配設され、この三方電動弁78と水槽24とが冷却水循環配管79で接続されている。そして、送水ポンプ53により水槽24の水をフィルタ54を通じて水槽24に循環させてフィルタ54を冷却するフィルタ冷却手段80が構成されている。
【００５６】
排水管36は、洗浄装置10の最も低い位置に設けられる。洗浄装置10は、洗浄槽20および着脱部13を洗浄装置10の操作者が操作しやすい位置に配置しており、前述の通り、洗浄槽10の下側に回収槽21が設けられるので、回収槽21から温水を排水するための排水管36は、洗浄装置10の最も低い位置に設けられる。このように着脱部13、洗浄槽20、回収槽21および排水管36を配置することで、洗浄装置10の操作者が作業しやすい位置に洗浄槽20および着脱部13を配置することができ、操作者の作業効率を高めることができる。
【００５７】
また、水供給手段61は、例えば水道水などの水を洗浄槽20の水吹付け手段29に供給する給水管82、および給水管82内の流路を開閉する電動弁83を有している。
【００５８】
また、エアー供給手段25は、図示しないエアー供給源に接続されたエアー供給管85、およびこのエアー供給管85内の流路を開閉する電動弁86を有している。エアー供給管85は洗浄槽20のエアー吹付け手段30に接続されている。
【００５９】
また、回収槽21には、回収槽21の温水を浄化する浄化手段88が配設されている。この浄化手段88は、回収槽21に接続された浄化用循環路89、この浄化用循環路89に回収槽21内の温水を循環させる循環ポンプ90、および浄化用循環路89内を流通する温水を濾過するフィルタ91を備えている。
【００６０】
また、回収槽21には、回収槽21内の温水の温度を低下させる放熱手段93が配設されている。この放熱手段93は、回収槽21に接続された放熱用循環路94、この放熱用循環路94に回収槽21内の温水を循環させる循環ポンプ95、および放熱用循環路94内を流通する温水の熱を放熱させる放熱部96を備えている。放熱部96は、例えば配管に複数の放熱フィンを設けて構成される。
【００６１】
また、洗浄装置10は、この洗浄装置10を制御する制御部99を備えている。制御部99は、搬送手段26で搬送方向の端部に搬送する灯体11aの位置を灯体11aの径に応じて制御する機能を有している。また、制御部99は、後述する初期動作（洗浄装置10の予熱方法）において、第１弁としての電動弁67、第２弁としての電動弁45、三方電動弁78若しくは電動弁55または第３弁としての三方電動弁57を制御する機能を有している。
【００６２】
なお、上記の各種電動弁は、その全部または一部を電磁弁としてもよい。
【００６３】
次に、洗浄装置10の動作を説明する。洗浄装置10の動作には、初期動作（洗浄装置10の予熱方法）と洗浄動作とがある。洗浄装置10による初期動作および洗浄動作は、回収槽21および補給槽23に所定の温度および所定量の温水が貯留されている状態で開始される。
【００６４】
機体12の前面の操作部17（図２参照）で初期動作（洗浄装置10の予熱方法）スタートを操作することにより、洗浄装置10の初期動作（温水の流路、すなわち洗浄装置10の内部の配管）の予熱動作が開始される（図３のステップ100）。なお、洗浄装置10の初期動作を開始する前には、回収槽21および補給槽23に所定温度の温水が所定量貯湯されていることを前提とする。
【００６５】
初期動作においては、洗浄槽20に灯体11は入れられず、シャッタ14は閉じられる。
【００６６】
図２に示す操作部17から初期動作のスタートが指示される（図３のステップ100）と、制御部99に当該指示信号が入力され、回収槽21の温水の温度が所定値まで上昇していることを確認すると、制御部99は第１配管としての取出配管44に設けられた第２弁としての電動弁45を閉から開に切り替えることにより、回収槽21に貯留された温水を送水ポンプ53に供給する（図３の第１ステップ102）。
【００６７】
図３の第１ステップ102において、送水ポンプ53を始動させる際には、通常の送水圧力よりも低い圧力で送水してもよい。このように送水ポンプ53を始動させることにより、温水の流路、例えば、取出配管44に空気が溜まっていたとしても一旦、取出配管44の内部を温水で満たすことにより、正常に送水ポンプ53を始動させることが可能になる。
【００６８】
送水ポンプ53を通過した温水は、第１配管としての取出配管44を介して、フィルタ54を通過し、第２弁としての電動三方弁78を通過して高圧ポンプ51に至る（図３の第１ステップ102）。第２弁としての電動三方弁78は、フィルタ54から高圧ポンプ51に温水が流れるように流路が形成されて、温水が流れるように制御部99によって制御される（図３の第１ステップ102）。
【００６９】
図３の第１ステップ102において、高圧ポンプ51を始動させる際には、送水ポンプ53と同様に、通常の送水圧力よりも低い圧力で送水してもよい。このように高圧ポンプ51を始動させることにより、温水の流路、例えば、取出配管44、電動三方弁78等に空気が溜まっていたとしても一旦、取出配管44および電動三方弁78の内部を温水で満たすことにより、正常に高圧ポンプ51を始動させることが可能になる。
【００７０】
高圧ポンプ51を通過した温水は、第１配管としての高圧温水供給配管52を介して、高圧温水吹付け手段28（上側固定ノズル28aおよび下側固定ノズル28b）に至る（図３の第１ステップ102）。この際、第２弁としての電動弁55aおよび電動弁55bは、制御部99により閉から開に切り替えられる（図３の第１ステップ102）。
【００７１】
高圧温水吹付け手段28（上側固定ノズル28aおよび下側固定ノズル28b）から吐出された温水は、洗浄槽20の底部31およびフィルタ33を介して、第２配管としての回収配管32に至る。このとき、制御部99は、回収配管32を流れる温水が、排水用配管58を介して水槽24に至るように、第３弁としての電動三方弁57を制御する（図３の第３ステップ104）。そして、温水は、回収槽21に入ることなく、水槽24、電動弁74、排水管36を介して排水される（図３の第３テップ104）。
【００７２】
制御部99は、図３の第１ステップ102または後述する第２ステップ103をｍ回繰り返す際に、ｍ回のうちｎ回は、図３の第３ステップ104を実行する（図３のステップ105および第３ステップ104）。ここで、ｎは１以上の自然数であり、ｍは２以上の自然数である。例えば、ｍ＝４、ｎ＝１とすると、洗浄装置10の初期動作（洗浄装置10の予熱方法）において、制御部99は、図３の第１ステップ102または第２ステップ103を４回繰り返すうち、最初の１回は、図３の第３ステップ104を実行し、温水を排水管36へ排水する。洗浄装置10の初期動作または洗浄装置10において、図３の第３ステップ104を実行するように構成されているので、予熱が不十分な配管を通ることで温度が低下した温水を回収槽21に投入されることがなく、回収槽21に貯留させた温水の温度を低下させることがない。よって、洗浄装置10の動作効率を向上させ、洗浄装置10の消費電力を低下させることができる。
【００７３】
制御部99は、図３の第３ステップ104を実行した後に、図３のステップ106を実行する。すなわち、図３の第１ステップ102または後述する第２ステップ103をｍ回繰り返したか否かを判断する。ここで、ｍ＝４とすると、まだ図３の第１ステップ102を１回実行したのみであるので、再び図３の第１ステップ102を実行する。
【００７４】
図３の第１ステップ102（２回目）を実行した後、図３のステップ105を実行する。ここで、ｎ＝１であり、先程、図３の第３ステップ104を１回実行したので、図３の第２ステップ103を実行する。
【００７５】
図３の第２ステップ102（２回目）を実行した後、高圧温水吹付け手段28（上側固定ノズル28aおよび下側固定ノズル28b）から吐出された温水は、洗浄槽20の底部31およびフィルタ33を介して、第２配管としての回収配管32に至る。このとき、図３の第１ステップ102（１回目）を実行した後とは異なり、制御部99は、回収配管32を流れる温水が、回収槽21に至るように、第３弁としての電動三方弁57を制御する（図３の第２ステップ103）。
【００７６】
図３の第１ステップ102（１回目）を実行することにより、取出配管44、送水ポンプ53、フィルタ54、高圧ポンプ51、高圧温水供給配管52、高圧温水吹付け手段28（上側固定ノズル28aおよび下側固定ノズル28b）、洗浄槽20、フィルタ33および回収配管32は予熱されているので、図３の第１ステップ102（２回目）を実行した後は、図３の第１ステップ102（１回目）を実行した後とは異なり温水の温度の低下が抑制される。よって、図３の第１ステップ102（２回目）を実行した後の温水を回収槽21に投入したとしても回収槽21の温水の温度が過度に低下することはない。したがって、図３の第２ステップ103が実行され、温水は回収槽21に至る。図３の第２ステップ103実行後、回収槽21の温水の温度が所定温度以下になった場合は、ヒータ42により加熱される。
【００７７】
図３の第２ステップ103を実行した後、制御部99は、図３のステップ106を実行する。すなわち、図３の第１ステップ102または第２ステップ103をｍ回繰り返したか否かを判断する。ここで、ｍ＝４とすると、図３の第１ステップ102を２回、第２ステップ103を１回実行したのみであるので、再び図３の第１ステップ102（３回目）を実行する。
【００７８】
図３の第１ステップ102、ステップ105、第２ステップ103を繰り返し、図３の第１ステップ102または第２ステップ103をｍ回繰り返す（例えば、４回繰り返す）と、洗浄装置10の初期動作（温水の流路、すなわち洗浄装置10の内部の配管）の予熱動作を終了する（図３のステップ107）。
【００７９】
図３の第１ステップ102または第２ステップ103を複数回繰り返すことにより、第１配管としての取出配管44、高圧温水供給配管52、および第２配管としての回収配管32等の温水の流路、すなわち洗浄装置10の内部の配管が、常温から６０℃、６５℃、６７℃、７０℃に順次上昇し、配管の温度が７５℃に到達したら、７５℃での第１ステップ102および第２ステップ103を４回行う。したがって、洗浄動作において温水の温度が低下することがなく、洗浄能力が低下することがない。
【００８０】
なお、制御部99は第３配管としての補給配管66に設けられた第１弁としての電動弁67を閉から開に切り替えることにより、補給槽23に貯留された温水を回収槽21に供給するステップを図３のステップ100からステップ107の間に設けてもよい。このステップを実行する前には、補給槽23に所定量の温水が貯留されていることを水位検知手段65により検出するとともに、その情報を制御部99に伝達してもよい。このステップの実行後、回収槽21の温水の温度が所定値以下である場合には、ヒータ42により加熱が行われる。
【００８１】
図１および２に示すように、着脱部13に移動可能に設けられた洗浄台16に灯体11aを装着し、機体12の前面の操作部17で洗浄スタートを操作することにより、搬送手段26によって洗浄台16および灯体11aが開口部15から機体12内に移動し、シッャタ14が閉じ、機体12内で灯体11aを洗浄する洗浄工程を開始する。
【００８２】
洗浄工程には、プレヒート処理、高圧温水洗浄処理、冷却処理、乾燥処理を順に行う。
【００８３】
プレヒート処理では、灯体11aが洗浄槽20内の所定の洗浄位置に移動するまでの間に、灯体11aの温度を上昇させて洗浄効果を高めるようにする。上面側洗浄位置へ移動する灯体11aを回転手段27で回転させながら、灯体11aの上面中央を含む全体に上側固定ノズル28a（高圧温水吹付け手段28）によって高圧温水を吹き付ける。なお、プレヒート処理時の高圧温水の圧力は、高圧温水洗浄処理時よりも低圧としてもよい。また、上側固定ノズル28aとは異なるプレヒート専用の上側固定ノズルを用いて、灯体11aが上面側洗浄位置に移動する間にプレヒート処理を効率的に行うようにしてもよい。
【００８４】
プレヒート処理が完了したら、連続して、次の高圧温水洗浄処理に移る。高圧温水洗浄処理は、上面側洗浄工程と下面側洗浄工程とがある。
【００８５】
図４ないし６に示すように、上面側洗浄工程においては、上面側洗浄位置に移動した灯体11aを回転手段27で回転させながら、必要に応じて搬送手段26で搬送方向に移動または往復移動させながら、電動弁55aを開いて供給される高圧温水を上側固定ノズル28aから灯体11aの上面および側面を含むこれら全体に吹き付けて洗浄する。
【００８６】
上面側洗浄工程が完了したら、電動弁55aを閉じて上側固定ノズル28aからの高圧温水の吹き付けを停止した後、連続して、次の下面側洗浄工程に移る。下面側洗浄工程においては、搬送手段26によって上面側洗浄位置から搬送方向の端部である下面側洗浄位置に灯体11aを移動させる。このとき、洗浄する灯体11aの径に応じて、灯体11aと下側固定ノズル28bとの位置関係が適切になるように灯体11aを移動させる。下面側洗浄位置に移動した灯体11aを回転手段27で回転させながら、必要に応じて搬送手段26で搬送方向に往復移動させながら、電動弁55bを開いて供給される高圧温水を上側固定ノズル28aから、灯体11aの上部側の周辺部下面および側面を含むこれら全体に吹き付けて洗浄する。
【００８７】
このとき、下側固定ノズル28bは搬送方向の端部に配設されているので、灯体11aの径に応じて灯体11aの移動距離を調整することにより、径の異なる灯体11aであっても略等しい距離で高圧温水を吹き付けることができる。これに対し、搬送方向に沿う側方に設けた場合には、径の異なる灯体11aとの距離を等しくすることはできない。灯体11aの下部灯体11bが洗浄台16に挿入されていて、下部灯体11bの側面に設けられている漏洩バルブ11dが隠蔽されているため、高圧温水が漏洩バルブ11dに吹き付けられて漏洩バルブ11dから灯体11aの内部に侵入するのを防止できる。
【００８８】
この高圧温水洗浄処理においては、例えば、高圧温水の温度は７０〜７５℃、圧力は２０ＭＰａ、流量は毎分９リットルである。なお、下面側洗浄工程を先に行った後で上面側洗浄工程を行ってもよく、また、上側固定ノズル28aと下側固定ノズル28bとの位置関係によっては、上面側洗浄工程と下面側洗浄工程の一部あるいは全部を並行して同時に行ってもよい。
【００８９】
上側固定ノズル28a（高圧温水吹付け手段28）から吐出される高圧温水の圧力分布は、灯体11aの上面に対して台形状であり、灯体11aの上面に対して圧力が均一となる部分が存在するような圧力分布となっている。高圧温水吹付け手段28の中心部のみ圧力が高いような圧力分布であると、灯体11aの移動距離や移動範囲を大きくしなければならず、効率的に洗浄処理ができず、洗浄時間が長くなる虞があったが、高圧温水吹付け手段28の圧力分布を台形状にすることで、高圧温水が吹き付けられる範囲を増やすことができ、効率的な洗浄処理が可能となり、洗浄時間および温水の使用量を削減できる。
【００９０】
そして、このようなプレヒート処理および高圧温水洗浄処理においては、取出配管44の電動弁45を開き、送水ポンプ53および高圧ポンプ51を駆動し、高圧温水供給配管52の電動弁55aおよび55bを選択的に開く。これにより、送水ポンプ53で回収槽21から取り出した温水をフィルタ54および高圧ポンプ51に送り、高圧ポンプ51で温水を加圧し、加圧した高圧温水を高圧温水吹付け手段28に供給し、高圧温水を灯体11aに吹き付ける。
【００９１】
洗浄槽20で灯体11aに吹き付けられた温水は、洗浄槽20の底部に流れ落ち、フィルタ33で濾過され、回収配管32を通じて回収槽21の受部40に流れ、この受部40のフィルタ41で濾過されて回収槽21に戻る。図１にも記載されたように、洗浄槽20の底部である貯留部31は、フィルタ33に向けて傾斜している。さらに、フィルタ33と回収配管32との接続部も同様に接続部に向けて傾斜している。洗浄槽20の底部にこれらの傾斜がなかった場合には、洗浄槽20の底部に温水が残留したり、洗浄槽20から回収配管32への温水の流速が低下する虞があった。洗浄槽20の底部にこれらの傾斜を設けることにより、温水の循環効率を高めるとともに、温水の温度低下も抑制することができる。
【００９２】
回収槽21に戻る温水は、配管や灯体11aなどとの接触で温度低下するものの、回収槽21内の温水の温度より多少低下した程度の温度であるため、洗浄に使用された温水が回収槽21に戻っても回収槽21内の温水の温度低下への影響は少なく、また、ヒータ42によって温度低下を迅速に補うことができる。そのため、回収槽21からは、一定の温度の温水を洗浄用に供給することができ、安定した洗浄効果を維持できる。
【００９３】
また、高圧温水洗浄処理が完了すれば、高圧温水の供給を停止し、次の冷却処理に移る。冷却処理では、灯体11aを回転させながら、水吹付け手段29から灯体11aに水を吹き付け、灯体11aを冷却することにより、灯体11aを洗浄装置10から取り出す際に灯体11aを直ぐに取り出せるようする。冷却処理では、水供給手段61の電動弁83を開くことにより、水を水吹付け手段29に供給する。
【００９４】
この冷却処理では、電動三方弁57を洗浄槽20に対して回収槽21側から排水用配管58側の流路に切り換える。そのため、灯体11aに吹き付けられた水が水槽24の受部72に流れ、フィルタ73で濾過されて水槽24に流入し、水槽24の水位に応じて電動弁74を開くことにより、水槽24内の水を排水管36に排水する。
【００９５】
例えば処理時間を短縮するために、高圧温水洗浄処理が完了直後に冷却処理を行う場合、洗浄槽20および回収配管32に残留している温水が排水経路に流れる。そのまま、温度の高いまま温水を排水管36に流すと、排水管36などに悪影響が生じるおそれがある。そこで、洗浄槽20および回収配管32に残留していた温水を水槽24に受け入れて水槽24内の水と混合させることで、排水管36などに影響のない温度まで低下させた後、排水管36に排水することにより、排水管36を保護できる。
【００９６】
また、冷却処理が完了すれば、水の供給を停止し、次の乾燥処理に移る。乾燥処理では、エアー供給手段25の電動弁86を開くことにより、エアー吹付け手段30から回転している灯体11aに吹き付けて乾燥させる。
【００９７】
なお、乾燥処理に入った後、あるいは乾燥処理後に、電動三方弁57を洗浄槽20に対して排水用配管58側から回収槽21からの流路に切り換える。
【００９８】
また、乾燥処理が完了し、洗浄工程が完了すれば、シャッタ14を開き、洗浄後の灯体11aを着脱部13に移動させる。着脱部13に移動した灯体11aを洗浄台16から外し、次に洗浄する灯体11aを洗浄台16に装着し、操作部17で洗浄スタートを操作することにより、上述した洗浄工程を開始する。
【００９９】
また、径が異なる灯体11aの洗浄を行う場合には、洗浄台16の台座部19から現在のホルダ部18を取り外し、これから洗浄を行おうとする径の灯体11aに対応した径のホルダ部18を洗浄台16の台座部19に取り付けることにより、径が異なる灯体11aを洗浄台16に装着できる。また、操作部17（図２参照）で洗浄しようとする灯体11aの径または種類を設定した後、洗浄スタートを操作することにより、洗浄工程を開始し、上述した下面側洗浄工程において、洗浄する灯体11aの径に応じて、灯体11aと下側固定ノズル28bとの位置関係が適切になるように灯体11aを移動させて適切に洗浄できる。
【０１００】
また、洗浄工程を繰り返していくと、冷却処理で温水の一部が排水されることから、循環使用する温水の量が低下し、回収槽21における温水の水位が低下する。水位検知手段43で回収槽21の水位が所定量以下に低下したことを検知したら、制御部99の制御により、補給槽23に接続されている補給配管66の電動弁67を開き、補給槽23の温水を回収槽21に補給する。
【０１０１】
補給槽23から補給する温水の温度は、回収槽21に貯留される温水の温度と同程度であるため、温水の補給によって回収槽21の温水の温度が低下することはなく、一定の温度に保つことができる。そのため、回収槽21に温水を補給しても、一定の温度の温水を洗浄用に供給することができ、安定した洗浄効果を維持できる。
【０１０２】
補給によって補給槽23の水位が低下したら、電動弁63を開いて補給槽23に水を給水し、給水によって補給槽23の温水の温度が低下したらヒータ64で所定の温度に沸き上げる。
【０１０３】
また、洗浄工程を繰り返すことで、フィルタ54の目詰まりなどで能力不足が生じた場合には、高圧温水の供給を停止し、取出配管44に対してフィルタ54を交換することになる。この場合、フィルタ54は、温水が流れているために温度が高く、取り扱い可能な温度に低下するまで交換することができない。自然放熱では、温度が低下するまで長時間待たなければならないことになる。そこで、フィルタ冷却手段80によってフィルタ54を強制的に冷却して温度を低下させる。
【０１０４】
フィルタ冷却手段80では、冷却水循環配管76の電動弁77を開き、電動三方弁78をフィルタ54に対して高圧ポンプ51側から冷却水循環配管79側の流路に切り換え、送水ポンプ53を駆動する。これにより、水槽24に貯留されている水がフィルタ54に流れてフィルタ54を冷却し、冷却水循環配管79を通じて水槽24に戻る。フィルタ54の温度が早期に低下し、待ち時間が短く、フィルタ54を交換することができる。
【０１０５】
また、回収槽21の浄化手段88を作動させることにより、回収槽21の温水に含まれる温水に含まれる異物や汚れなどを取り除いて浄化し、この温水に含まれる異物や汚れなどが高圧ポンプ51や送水ポンプ53などに影響するのを低減できる。
【０１０６】
また、洗浄完了後、洗浄装置10を停止させる場合、回収槽21内の温水を排水する。このとき、回収槽21の温水を温度の高いまま排水管36に流すと、排水管36などに悪影響が生じるおそれがある。また、回収槽21の温水が排水しても影響のない温度に低下するには長時間待たなければならない。そこで、放熱手段93により、回収槽21の温水を強制的に放熱させて排水しても影響のない温度に低下させる。
【０１０７】
放熱手段93では、循環ポンプ95によって回収槽21の温水を放熱部96に循環させ、この放熱部96で効率よく放熱させる。そして、回収槽21の温水を排水しても影響のない温度まで低下させた後に、電動弁46を開いて回収槽21の温水を排水管36に排水する。
【０１０８】
このように、洗浄装置10は、洗浄槽20で灯体11aに高圧温水を吹き付けて洗浄し、洗浄槽20から温水を回収槽21に回収し、高圧温水供給手段22で回収槽21の温水を取り出して加圧した高圧温水を洗浄槽20に供給することにより、洗浄に使用した温水を排水せずに循環使用するため、エネルギー効率に優れ、さらに、補給槽23に新しい温水を用意しておくことにより、洗浄処理に伴って循環使用する温水が減少しても、回収槽21に新しい温水を補給することができるとともに、単に水を補給した場合のような回収槽21での温水の温度低下を防止でき、したがって、効率よく洗浄することができる。
【０１０９】
このように構成された洗浄装置10は、搬送手段26で搬送するとともに回転手段27で回転する灯体11aに上側固定ノズル28aから高圧温水を吹き付けて洗浄し、さらに、搬送手段26の搬送方向の端部に対向して下側固定ノズル28bを配設し、搬送手段26で搬送方向の端部に搬送するとともに回転手段27で回転する灯体11aに下側固定ノズル28bから高圧温水を吹き付けて洗浄することができるため、可動ノズルに代えて固定ノズル28a，28bを用いて灯体11aを洗浄できるとともに、灯体11aの上面側から下面側に亘って洗浄することができる。
【０１１０】
また、搬送手段26で搬送方向の端部に搬送する灯体11aの位置を灯体11aの径に応じて制御するため、灯体11aの径に対応して適切に洗浄することができる。
【０１１１】
さらにまた、洗浄時、灯体11aの下部側が洗浄台16に挿入されていて、下部側の側面に設けられている漏洩バルブ11dが隠蔽されているため、高圧温水が漏洩バルブ11dに吹き付けられて漏洩バルブ11dから灯体11aの内部に侵入するのを防止できる。
【０１１２】
また、灯体11aに高圧温水を吹き付けた後に水を吹き付けて冷却することにより、洗浄を完了した灯体11aを直ぐに手で取り扱うことができ、灯体11aの温度が自然に低下するのを待つ必要がなく、処理効率をよくできる。
【０１１３】
また、洗浄中にフィルタ54を交換する事態となっても、フィルタ冷却手段80によってフィルタ54を冷却できるため、フィルタ54の温度が自然に低下するのを待つことなく、フィルタ54を交換することができ、処理効率よくできる。
【０１１４】
洗浄装置10の初期動作（予熱方法）において、第１配管としての取出配管44、高圧温水供給配管52、および第２配管としての回収配管32等の温水の流路、すなわち洗浄装置10の内部の配管を予め温めることにより、効率よく洗浄することができる。また、所望の洗浄効果を得られる。
【０１１５】
洗浄装置10の初期動作または洗浄装置10において、図３の第３ステップ104を実行するように構成されているので、予熱が不十分な配管を通ることで温度が低下した温水を回収槽21に投入されることがなく、回収槽21に貯留させた温水の温度を低下させることがない。よって、洗浄装置10の動作効率を向上させ、洗浄装置10の消費電力を低下させることができる。
【０１１６】
図３の第１ステップ102または第２ステップ103を複数回繰り返すことにより、第１配管としての取出配管44、高圧温水供給配管52、および第２配管としての回収配管32等の温水の流路、すなわち洗浄装置10の内部の配管を順次上昇させることができ、洗浄動作において温水の温度が低下することがなく、洗浄能力が低下することがない。
【０１１７】
なお、被洗浄物としては、航空標識灯11の灯体11aに限らず、他の洗浄対象物でもよい。
【０１１８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１９】
10    洗浄装置
20    洗浄槽
21    回収槽
28    高圧温水吹付け手段
32    第２配管としての回収配管
42    第１の沸上手段としてのヒータ
44    第１配管としての取出配管
45    第２弁としての電動弁
52    第１配管としての高圧温水供給配管
55    第２弁としての電動弁
57    第３弁としての電動三方弁
67    第１弁としての電動弁
78    第２弁としての電動三方弁
99    制御部
102   第１ステップ
103   第２ステップ
【図１】
2015188830.tif 000003
【図２】
2015188830.tif 000004
【図３】
2015188830.tif 000005
【図４】
2015188830.tif 000006
【図５】
2015188830.tif 000007
【図６】
2015188830.tif 000008
【図７】
2015188830.tif 000009